(57)【要約】      （修正有）【課題】外気から閉鎖された作業現場内の換気を行うことができるとともに、作業を中断することなく、作業現場の内外間において換気装置の操作指示等の伝達を可能とする作業現場用の換気装置を提供する。【解決手段】換気装置１１は、作業現場の外に配置されるベース部１３と、送気口３３を有し、ベース部１３上に取り付けられる送風機１２と、一端が送気口３３に着脱可能に連結され、他端が作業現場内に配置される管状の送気ダクト３６と、作業現場内に配置される信号送信機と、報知信号を受信して作動する報知装置を有し、ベース部１３に取り付けられる信号受信機と、ベース部１３に取り付けられる第一通話器と、作業現場内に配置される第二通話器とを有する通話装置とを備える。【選択図】図１
0003163579.tif 000002
【実用新案登録請求の範囲】
【請求項１】
外気から閉鎖された作業現場において換気のために用いられる換気装置であって、
下端部に車輪を有し、前記作業現場の外に配置されるベース部と、
空気が吐き出される送気口を有し、前記ベース部上に取り付けられる送風機と、
一端が前記送気口に着脱可能に連結され、他端が前記作業現場内に配置される管状の送気ダクトと、
報知信号を送信するためのスイッチを有し、前記作業現場内に配置される信号送信機と、
前記報知信号を受信して作動する報知装置を有し、前記ベース部に取り付けられる信号受信機と、
前記ベース部に取り付けられる第一通話器と、前記第一通話器との間で双方向に通話可能であり、前記作業現場内に配置される第二通話器とを有する通話装置と、を備える、換気装置。
【請求項２】
前記送風機には、空気が吸い込まれる吸気口が設けられており、
前記送気ダクトの一端は、前記送気口または前記吸気口のいずれかに、選択的に着脱可能に連結される、請求項１に記載の換気装置。
【請求項３】
前記報知装置は、前記信号送信機から前記報知信号を受信した場合に、光の発光によって周囲に前記報知信号の受信を報知する発光装置を含む、請求項１または２に記載の換気装置。
【請求項４】
前記発光装置は、回転灯である、請求項３に記載の換気装置。
【請求項５】
前記報知装置は、スピーカーをさらに含み、
前記信号受信機は、事前に入力された所定の音声メッセージを記録する記録部と、前記報知信号を受信した場合に前記記録部に記録された前記所定の音声メッセージを読み込み、前記スピーカーに送信する再生部とをさらに有する、請求項１〜４のいずれかに記載の換気装置。
【請求項６】
前記信号送信機と前記信号受信機、および、前記第一通話器と前記第二通話器は、いずれも有線接続されている、請求項１〜５のいずれかに記載の換気装置。
【考案の詳細な説明】
【技術分野】
【０００１】
本考案は、換気装置に関するものであって、特に、マンホールの内部等の外気から閉鎖された作業現場において用いられる換気装置に関するものである。
【背景技術】
【０００２】
地下での作業や、マンホールの内部での作業等のように、作業現場が外気から閉鎖されてしまう場合においては、作業現場の酸素濃度の低下や、有毒ガスの滞留等の危険性から、作業中に作業現場の換気を行う必要がある。このような場合において、作業現場の換気を行う手段として、送風機を用いて外気を作業現場内に送風させる装置や、排気機を用いて作業現場内の空気を外部へ排気する装置が、従来から用いられてきた。このような換気装置として、例えば実開平５−８７２８８号公報や、特開２００１−２１５０３６号公報が、開示されている。特許文献１および特許文献２に記載されているように、従来の作業現場用換気装置は、作業現場に外気を送風する、または作業現場の排気を行う送風機／排気機と、一端が送風機／排気機の送風口／吸気口に連結され、他端が作業現場内に挿入される通気ダクトとを備えている。
【先行技術文献】
【特許文献】
【０００３】
【特許文献１】実開平５−８７２８８号公報
【特許文献２】特開２００１−２１５０３６号公報
【考案の概要】
【考案が解決しようとする課題】
【０００４】
特許文献１および特許文献２に記載されているような従来の作業現場用換気装置は、送風機／排気機と作業現場とを結ぶ通気ダクトを介して、作業現場内に新鮮な外気を送風する、または作業現場内の空気を排気することによって、作業現場の換気を行うものである。しかしながら、従来の換気装置においては、以下のような課題があった。
【０００５】
作業現場内において作業をする人が作業現場の外にいる人に対して換気装置の操作等の指示をする必要が生じた場合、作業員は、一度作業現場の外に出て直接指示を下すか、または、作業現場内および作業現場外の人が、各自に別途通信装置を保有し、その通信装置により作業現場内外間の指示のやりとりを行う必要があった。しかしながら、前者の場合には、作業者に掛かる負担を増大させるばかりでなく、作業を中断させなくてはならないため、作業効率の著しい低下に繋がる。また、後者の場合は、作業中に必ず別途通信装置を保持しなければならないため、利便性において欠点があるとともに、別途必要となる通信装置のために作業コストの増大にも繋がることとなる。
【０００６】
本考案の目的は、上記課題に鑑み、外気から閉鎖された作業現場内の換気を行うことができるとともに、作業を中断することなく、作業現場の内外間において換気装置の操作指示等の伝達を可能とする作業現場用の換気装置を提供することである。
【課題を解決するための手段】
【０００７】
本考案に係る換気装置は、外気から閉鎖された作業現場において換気のために用いられるものであって、下端部に車輪を有し、作業現場の外に配置されるベース部と、空気が吐き出される送気口を有し、ベース部上に取り付けられる送風機と、一端が送気口に着脱可能に連結され、他端が作業現場内に配置される管状の送気ダクトと、報知信号を送信するためのスイッチを有し、作業現場内に配置される信号送信機と、報知信号を受信して作動する報知装置を有し、ベース部に取り付けられる信号受信機と、ベース部に取り付けられる第一通話器と、第一通話器との間で双方向に通話可能であり、作業現場内に配置される第二通話器とを有する通話装置とを備える。
【０００８】
この構成によれば、作業現場の外に設置された送風機から、作業現場内に挿入される送気ダクトを介して新鮮な外気が送り込まれるため、外気から閉鎖された作業現場において、酸素濃度の低下や有毒ガスの滞留等の危険から作業員を保護することができる。また、作業現場内にいる作業員が、作業現場外にいる作業員に対して当該換気装置の操作等の指示をする必要が生じた場合に、作業現場内に配置された信号送信機のスイッチを押すことにより、作業現場外に設置された信号受信機に設けられている報知装置を作動させ、作業現場外の作業員に何らかの指示を行う意思があることを伝達することができる。さらに、この場合において、作業現場外に配置された第一通話器と、作業現場内に配置される第二通話器とを介し、具体的な指示内容を伝達することも可能である。これにより、作業現場内外間における作業員同士の意思疎通に係る負担を大幅に軽減することができるため、作業効率が低下することを効果的に防止することができる。
【０００９】
好ましくは、送風機には、空気が吸い込まれる吸気口が設けられており、上記送気ダクトの一端は、送気口または吸気口のいずれかに、選択的に着脱可能に連結される。この構成によれば、例えば作業現場内に有毒ガスが充満している場合において、上記送気ダクトを送風機の吸気口に取り付けることによって、作業現場内の有毒ガスを外部へ排気することができる。すなわち、本考案に係る換気装置は、送気ダクトの取り付けを使用状況に応じて適宜切り替えることによって、送風機または排気機として機能させることが可能である。さらに、送風機内部における上記吸気口の下流側に、集塵用の集塵フィルターを設けることによって、送気ダクトから作業現場内の塵等を収集することも可能である。すなわち、本考案に係る換気装置を、集塵機として機能させることも可能である。
【００１０】
好ましくは、報知装置は、信号送信機から信号を受信した場合に、光の発光によって周囲に報知信号の受信を報知する発光装置を含む。さらに好ましくは、発光装置は、回転灯である。この構成によれば、作業現場内の作業員が信号送信機のスイッチを押した場合に、周囲からの視認性に非常に優れた回転灯が点灯して周囲に知らせるため、作業現場外の作業員により確実に報知装置の作動を認識させることが可能となる。
【００１１】
好ましくは、報知装置は、スピーカーをさらに含み、信号受信機は、事前に入力された所定の音声メッセージを記録する記録部と、報知信号を受信した場合に記録部に記録された所定の音声メッセージを読み込み、スピーカーに送信する再生部とをさらに有する。この構成によれば、作業現場内の作業員が信号送信機のスイッチを押すと同時に、作業現場外の作業員に事前に記録されたメッセージを伝達することが可能となるため、さらに作業効率を向上させることができる。すなわち、例えば事前に「換気装置を止めて下さい」や、「送気モードと排気モードを切り替えて下さい」等といった操作指示メッセージを記録しておけば、その都度上記の通話装置を用いることなく、即座に操作指示を伝達することが可能となる。
【００１２】
好ましくは、信号送信機と信号受信機、および、第一通話器と第二通話器は、いずれも有線接続されている。この構成によれば、地下深い場所での作業や、複雑に入り組んだマンホール内での作業等のように、作業現場の内外間において電磁波による通信が困難となる場合に、作業員同士の意思疎通を確実に実行することができる。
【考案の効果】
【００１３】
本考案によれば、作業現場の外に設置された送風機から、作業現場内に挿入される送気ダクトを介して新鮮な外気が送り込まれるため、外気から閉鎖された作業現場において、酸素濃度の低下や有毒ガスの滞留等の危険から作業員を保護することができる。また、作業現場内にいる作業員が、作業現場外にいる作業員に対して当該換気装置の操作等の指示をする必要が生じた場合に、作業現場内に配置された信号送信機のスイッチを押すことにより、作業現場外に設置された信号受信機に設けられている報知装置を作動させ、作業現場外の作業員に何らかの指示を行う意思があることを伝達することができる。さらに、この場合において、作業現場外に配置された第一通話器と、作業現場内に配置される第二通話器とを介し、具体的な指示内容を伝達することも可能である。これにより、作業現場内外間における作業員同士の意思疎通に係る負担を大幅に軽減することができるため、作業効率が低下することを効果的に防止することができる。
【図面の簡単な説明】
【００１４】
【図１】本考案の一実施形態に係る換気装置において、送気ダクトを送気口に取り付けた状態を前方側から見た正面図を示す。
【図２】図１に示す換気装置において、送気ダクトを吸気口と連通する集塵ユニットに取り付けた状態を、図１中の矢印IIの方向から見た左側面図を示す。
【図３】図２に示す遠隔操作部の拡大図である。
【図４】本実施形態に係る換気装置を送風機として用いた場合の作業現場を概略的に示す概略図である。
【図５】本実施形態に係る換気装置を排気機／集塵機として用いた場合の作業現場を概略的に示す概略図である。
【考案を実施するための形態】
【００１５】
以下、本考案の実施の形態を図面に基づき詳細に説明する。まず、図１〜図３を用いて、本考案の一実施形態に係る換気装置１１の構成について説明する。図１は、本考案の一実施形態に係る換気装置１１において、送気ダクト３６を送気口３３に取り付けた状態を前方側から見た正面図を示す。図２は、図１に示す換気装置１１において、送気ダクト３６を、吸気口３２と連通する集塵ユニット３７に取り付けた状態を左側から見た場合、すなわち、図１中の矢印IIの方向から見た左側面図を示す。図３は、図２に示す遠隔操作部５０の拡大図である。なお、以下の説明における前後左右方向は、図１を基準とし、前方側は、図１における紙面表側を示し、左方向は、図１における紙面左方向を示すものとする。
【００１６】
図１〜図３を参照して、本考案の一実施形態に係る換気装置１１は、マンホールの内部、地下空間、または洞穴の内部等といった外気から閉鎖された空間における作業や、工場や新築の建物の内部等の有害ガスが滞留しやすい環境での作業をする必要がある場合に、作業現場の換気のために用いられる換気装置である。換気装置１１は、送風または吸気を行う送風機１２と、送風機１２を下方から支えるベース部１３とを備える。
【００１７】
ベース部１３は、送風機１２が載置される板状部材である底壁部１４と、底壁部１４のやや後方側の左右両側端に設けられた左右の車輪１５，１６とを有する。底壁部１４の左右前端には、前方下方側へ向けて略コの字状に延在する前舌部１７が、底壁部１４に一体的に設けられている。より具体的には、前舌部１７は、底壁部１４の左前端から前方下方側に向けて延在する左棒部材１８と、底壁部１４の右前端から前方下方側に向けて延在する右棒部材１９と、左棒部材１８の前端から右棒部材１９の前端へと水平に延在する前棒部材２０とから構成されている。本実施形態においては、図１および図２に示すように、車輪１５，１６および前棒部材２０が接地し、換気装置１１が自立する構成となっている。
【００１８】
底壁部１４の左右後端には、上方へ向けて延びる左柱部２１および右柱部２２が、それぞれ設けられている。また、左柱部２１の上端２３および右柱部２２の上端２４には、後方上方側へ向けて略コの字状に延在する取手部２５が、左右柱部２１，２２に一体的に設けられている。より具体的には、取手部２５は、左柱部２１の上端２３から後方上方側に向けて延在する左棒部材２６と、右柱部２２の上端２４から後方上方側に向けて延在する右棒部材２７と、左棒部材２６の上端から右棒部材２７の上端へと水平に延在する把持棒２８とから構成されている。
【００１９】
換気装置１１を移動させる場合、作業員は、把持棒２８を掴み、図２の矢印Ａに示す方向に力を加え、左右の車輪１５，１６の接地点を支点として前棒部材２０を上方に跳ね上げる。そうして、把持棒２８を押す、または引くことによって、換気装置１１を任意に移動させることができる。
【００２０】
本実施形態において用いられている送風機１２は、遠心型電動送風機である。この送風機１２は、底壁部１４に固定される土台部２９と、土台部２９の上端に取り付けられたモーター部３０と、モーター部３０の前端に取り付けられたファン部３１とから構成されている。また、送風機１２の後方部には、土台部２９およびモーター部３０を覆うように、防雨カバー３４が取り付けられている。
【００２１】
ファン部３１の前面中心部には、ファン部３１の内部空間と連通するように、吸気口３２が設けられている。また、ファン部３１の下部には、左方向に向けて開口する送気口３３が、設けられている。モーター部３０の前面中心部からは、モーターの回転軸（図示せず）が前方へ向けて突出しており、ファン部３１の内部に収容されている羽根車（図示せず）に連結されている。そして、モーター部３０に電力を供給し、モーターを駆動させると、ファン部３１の内部の羽根車が回転し、気流を発生させる。吸気口３２および送気口３３は、ファン部３１内部における羽根車が収容されている空間に連通しており、羽根車が回転することによって、吸気口３２から送気口３３へ向けた強力な気流が発生する。すなわち、送風機１２を駆動すると、送気口３３からは空気が強力に吐き出され、且つ、吸気口３２からは空気が強力に吸い込まれる気流が発生する。
【００２２】
図１に示す状態においては、送気口３３に、アダプター３５を介して、管状の長尺な送気ダクト３６が、送気口３３と連通するように着脱可能に連結されている。この送気ダクト３６は、蛇腹形状を有しており、伸縮性および可撓性に優れている。
【００２３】
ファン部３１の前面中央領域には、吸気口３２と連通するように、集塵ユニット３７が取り付けられている。集塵ユニット３７は、円筒状のアダプター３８と、アダプター３８の前面に取り付けられた環状のダストボックス３９と、ダストボックス３９の前面中央部から前方に突出する円筒状の突出部４０とから構成されている。アダプター３８、ダストボックス３９、および突出部４０は、いずれも中空の環状形状を有しており、吸気口３２と連通するように互いに連結されている。
【００２４】
ダストボックス３９は、ダスト収納部３９ａと、ダスト収納部３９ａの前面開口を覆うように被せられた蓋部３９ｂと、ダスト収納部３９ａと蓋部３９ｂとをロックするロック部材３９ｒとを含む。ロック部材３９ｒのロックを解除すると、蓋部３９ｂを開蓋し、ダストボックス３９の内部を開放することが可能となっている。塵収納部３９ａの内部には、二枚の金網４１，４２と、金網４１，４２の間に挟まれるように配置された集塵フィルター４３が挿入されている。金網４１，４２および集塵フィルター４３は、アダプター３８の前面開口を前方側から塞ぐように、ダストボックス３９の内壁に固定されている。換気装置１１を後述するように集塵機として機能させた場合、集塵フィルター４３が、吸い込まれた塵等をキャッチし、ダストボックス３９の内部に収納していく。この詳細については、後述する。
【００２５】
図２に示す状態においては、送気ダクト３６が、ダストボックス３９の前端に設けられた突出部４０にアダプター３５を介して着脱可能に嵌め込まれている。このようにして、送気ダクト３６は、集塵ユニット３７を介して吸気口３２と連通するように連結される。
【００２６】
本実施形態に係る換気装置１１は、右柱部２２の上部付近に取り付けられた制御ボックス４６と、遠隔操作部５０とをさらに備えている。また、制御ボックス４６の上面には、回転灯５１が、固定されており、回転灯５１の上端には、スピーカー５２が一体的に取り付けられている。制御ボックス４６の内部には、後述する遠隔操作部５０からの報知信号を受けた場合に、上記回転灯５１およびスピーカー５２を駆動させる受信機制御回路を含む信号受信機（図示せず）と、音声信号の送受信を行うことが可能な第一通話器（図示せず）が、内設されている。さらに、この信号受信機は、事前に所定の音声メッセージを記録可能な記録部と、報知信号を受信した場合に上記記録部に記録された所定の音声メッセージを読み込み、スピーカー５２に音声信号を送信する再生部とをさらに有する。事前に記録しておく所定のメッセージとしては、例えば「換気装置を止めて下さい」や、「送気モードと排気モードを切り替えて下さい」といった、換気装置１１の操作に関するものや、「荷物○○を降ろして下さい」や、「作業員○○を派遣して下さい」等の業務上のメッセージ等が考えられる。
【００２７】
第一通話器は、電気音響変換器としてスピーカーおよびマイクを含み、これらスピーカーおよびマイクが、制御ボックス４６の前面中央の左側に設けられた通話口５４に面するように内設されている。また、制御ボックス４６の前面には、上記送風機１２のモーターのオン／オフを行う電源ボタン５３と、回転灯５１およびスピーカー５２の駆動を停止する報知装置停止ボタン５９とが、設けられている。これら電源ボタン５３、報知装置停止スイッチ５９、回転灯５１、スピーカー５２、および第一通話器は、受信機制御回路に電気的に接続されており、各操作ボタンおよび遠隔操作部５０の操作に従って、回転灯５１、スピーカー５２、および第一通話器が、後述するようにそれぞれ適宜制御される。
【００２８】
遠隔操作部５０は、表面に報知ボタン５７および通話ボタン５８が設けられており、これら操作ボタンの近接には、通話口５５が形成されている。また、遠隔操作部５０の表面上部には、パイロットランプ５６が取り付けられている。遠隔操作部５０の内部には、報知ボタン５７が押されたときに、上記受信機制御回路に向けて報知信号を送信する送信制御回路を含む信号送信機（図示せず）と、通話ボタン５８が押された場合に音声信号の送信を行う第二通話器（図示せず）とが、内設されている。第二通話器は、電気音響変換器としてスピーカーおよびマイクを含んでおり、これらスピーカーおよびマイクが、遠隔操作部５０の表面に設けられた通話口５４に面するように内設されている。報知ボタン５７、通話ボタン５８、パイロットランプ５６、および第二通話器は、いずれも送信制御回路に電気的に接続されており、報知ボタン５７および通話ボタン５８の操作によって、後述するような所定の制御が行われるように構成されている。
【００２９】
遠隔操作部５０は、長尺な電気ケーブル４９と、電気ケーブル４９の先端に設けられた電気プラグ４８とを介して、上記制御ボックス４６に電気的に接続される。具体的には、制御ボックス４６の前面下方中央部には、上記受信機制御回路と電気的に接続された電気コンセント４７が設けられており、電気プラグ４８が差し込まれて遠隔操作部５０と制御ボックス４６とが接続される。
【００３０】
次に、図１〜図５を用いて、本実施形態に係る換気装置１１の使用時における動作について説明する。図４は、本実施形態に係る換気装置１１を送風機として用いた場合の作業現場を概略的に示す概略図である。図５は、本実施形態に係る換気装置１１を排気機／集塵機として用いた場合の作業現場を概略的に示す概略図である。
【００３１】
図４および図５に示すように、作業現場６０は、地下深くに設けられた地下空間であり、鉛直方向に延びるマンホール６１を通じて地上と繋がっている。このような地理的環境においては、現場内部の空間が外気から閉鎖されてしまうため、作業員が作業現場６０内で作業を行う場合は、必ず現場の空気の換気を行う必要がある。
【００３２】
本実施形態に係る換気装置１１を、新鮮な外気を作業現場６０内に送り込むための送風機として用いる場合は、図４に示すように、送気ダクト３６の一端を送風機１２の送気口３３に連結し、他端を作業現場６０の内部に挿入する。それとともに、遠隔操作部５０も作業現場内に挿入する。そして、制御ボックス４６に設けられた電源ボタン５３をオンとする。そうすると、受信機制御回路を介して電源ボタン５３と電気的に接続されている送風機１２内の電動モーターが駆動され、ファン部３１に内設されたファンが回転する。これにより、吸気口３２から新鮮な外気が吸い込まれ、送気ダクト３６を介して作業現場６０内に供給される。このようにして作業現場６０内の換気を行うことができる。
【００３３】
ここで、本実施形態に係る換気装置１１においては、作業現場６０内で作業する作業員Ａが、地上の作業員Ｂに換気装置１１の操作指示を与える必要が生じた場合、作業員Ａは、作業現場６０内に配置されている遠隔操作部５０を用いて地上の作業員Ａに指示を与えることが可能である。例えば、作業員Ａが、遠隔操作部５０に設けられた報知ボタン５７を押すと、信号送信機を構成する送信制御回路において報知信号が生成され、電気ケーブル４９を介して制御ボックス４６内の信号受信機に送信される。そうすると、信号受信機を構成する受信機制御回路が報知信号を受け取り、回転灯５１およびスピーカー５２に駆動信号を送信してこれらを駆動させ、地上の作業員Ｂに指示を出す意思があることを知らせることができる。
【００３４】
作業員Ａが、報知ボタン５７を押し、回転灯５１およびスピーカー５２が駆動されている間は、遠隔操作部５０に設けられたパイロットランプ５６が点灯する構成となっている。これにより、地上で確実に報知装置が作動していることを作業者Ａに知らせることができる。また、地上においては、報知装置の作動を認識した作業者Ｂが、制御ボックス４６に設けられた報知装置停止ボタン５９を押して、報知装置の停止を行うことが可能な構成となっている。
【００３５】
受信機制御回路からスピーカーに送信される信号としては、ブザー音や、警報音でもよいし、上記したように、事前に記録部に記録されている所定の音声メッセージを読み込み、スピーカー５２に送信するように構成されてもよい。例えば、作業員Ａが、換気装置１１を排気機として使用したい旨の指示を出したいものとする。この場合、上記信号受信機の記録部には、予め「送気モードと吸気モードを切り替えて下さい」というメッセージを記録させておく。そして、作業員Ａが、遠隔操作部５０の報知ボタン５７を押すと、地上の信号受信機側では、回転灯５１が点灯し、「送気モードと吸気モードを切り替えて下さい」とのメッセージが流れるため、作業員Ｂに確実に指示を伝達することが可能である。
【００３６】
この指示を受けて、作業員Ｂは、送気ダクト３６の一端を送気口３３から取り外し、送風機１２の吸気口３２と連通している突出部４０に嵌め込んで取り付ける。そうすると、作業現場６０内に挿入されている送気ダクト３６の他端から、周囲の空気が強力に吸い込まれることとなるため、換気装置１１を作業現場６０内の空気を排気する排気機として機能させることができる。
【００３７】
さらに、本実施形態に係る換気装置１１は、上記した双方向に通話可能な第一通話器および第二通話器から構成された通話装置を備えているため、作業現場の内外間において、より細かい指示のやり取りを行うことが可能である。すなわち、作業員Ａは、遠隔操作部５０の報知ボタン５７を押して地上の作業員Ｂの注意を喚起したのち、通話ボタン５８を押して遠隔操作部５０に設けられた通話口５５に向けて通話する。そうすると、第二通話器を構成するマイクによって音波を音声信号に変換し、信号送信機を介して信号受信機に音声信号が送信される。信号受信機に受信された音声信号は、受信機制御回路から第一通話器に送信され、第一通話器を構成するスピーカーに入力されて制御ボックス４６に設けられた通話口５４から音波として作業員Ｂに伝達される。その逆に、作業員Ｂによって通話口５４に向けて話した場合は、上記とは逆の伝送路を辿って音声信号が伝達されるため、作業員Ａと作業員Ｂとは、作業現場内外間において双方向に通話することが可能な構成となっている。
【００３８】
このように、本実施形態に係る換気装置１１は、作業現場内の作業員Ａが、地上にいる作業員Ｂに対して指示をする場合に、遠隔操作部５０の操作ボタンを押すことにより、作業現場外に設置された回転灯５１およびスピーカー５２を作動させることによって、指示の伝達を容易且つ迅速に行うことができる。すなわち、作業員Ａは、作業現場６０の外に出ることなく作業を継続しながら指示を出すことが可能である。さらに、この場合において、作業現場外に配置された第一通話器と、作業現場内に配置される第二通話器とを介し、より詳細な情報のやり取りを行うことも可能である。これにより、作業員に係る負担を大幅に軽減することができるため、作業効率が低下することを効果的に防止することができる。
【００３９】
また、本実施形態に係る換気装置１１は、送気ダクト３６の一端を、送気口３３または吸気口３２のいずれかに選択的に取り付けることにより、状況に応じて送風機または排気機に容易に切り換えることができる。さらに、換気装置１１は、上記集塵ユニット３７を備えているため、作業現場６０内を清掃可能な集塵機として機能させることもできる。すなわち、換気装置１１を集塵機として使用する場合は、作業現場６０内に配置されている送気ダクト３６の他端から、作業によって発生した粉塵や金属ヒューム等の塵を吸い込む。吸い込まれた塵は、送風機１２が発生させる強力な気流によって送気ダクト３６を介して吸い上げられ、集塵ユニット３７を構成するダストボックス３９に入り込む。ここで、ダストボックス３９の内部において、上記集塵フィルター４３が、吸気口３２と連通するアダプター３８の前面開口を、気流の上流側から塞ぐように固定されている。したがって、この集塵フィルター４３が、吸い込まれた塵等を確実にキャッチし、これら塵等をダストボックス３９の内部に収納していくため、送風機１２の吸気口３２からファン部３１の内部に塵が入り込んでしまうことを防止することができる。また、ダストボックス３９内に溜まった粉塵等を廃棄する場合は、ロック部材３９ｒのロックを解除し、蓋部３９ｂを開蓋すれば容易に中身を取り出し、廃棄することが可能である。
【００４０】
このように、本実施形態に係る換気装置１１は、上記した種々の構成を備えることから、現場での作業を継続しながら送風機、排気機、および集塵機の切り換え指示を伝達可能であって、且つ、作業員同士の意思疎通を迅速且つ確実に行うことができる、非常に利便性に優れた換気装置である。
【００４１】
なお、好ましくは、上記した送気ダクト３６は、直径が７５ｍｍ〜１００ｍｍの範囲内となるように構成される。これにより、作業効率を大幅に向上させることができる。これについて、以下に簡単に説明する。従来の一般的な送風機においては、２００ｍｍ〜３００ｍｍの直径を有する送気ダクトが用いられてきた。しかしながら、このような直径の送気ダクトを、例えばマンホール内の作業現場の換気のために使用すると、作業員がマンホールを出入りする場合に、その都度送気ダクトを引き上げねばならないといった課題があった。すなわち、標準的なマンホールは、直径６００ｍｍであるため、２００ｍｍ〜３００ｍｍの直径の送気ダクトがマンホールに挿入されると、作業員がマンホール内を昇降することができなくなるからである。したがって、送気ダクトの直径を７５ｍｍ〜１００ｍｍの範囲内に設定することによって、送気ダクトをマンホールに挿入したまま、作業員がマンホール内を昇降することが可能となる。これにより、作業効率を大幅に向上させることができる。
【００４２】
また、好ましくは、信号送信機と信号受信機、および、第一通話器と第二通話器は、いずれも有線接続されている。この構成によれば、地下深い場所での作業や、複雑に入り組んだマンホール内での作業等のように、作業現場の内外間において電磁波による通信が困難となる場合に、作業員同士の意思疎通を確実に実行することができる。
【００４３】
なお、上記の実施形態においては、光の発光による報知装置として、回転灯を用いた場合について説明した。回転灯は、主に緊急車両用や工場用に開発されたものであることから、周囲からの視認性に優れ、且つ、耐久性・信頼性にも優れた発光装置である。したがって、本考案の用途に適したものである。しかしながら、これに限らず、その他の発光装置、例えばＬＥＤ発光装置や、蛍光灯、ＬＣＤ等、如何なる発光・照明・表示装置が用いられてもよい。
【００４４】
また、上記の実施形態においては、遠隔操作部に報知ボタンが一つ設けられており、作業現場内の作業員が報知ボタンを押すと、これに対応した一種類の音声メッセージが地上に発信される構成について述べた。しかしながら、これに限らず、信号受信機の記録部に、事前に複数種類の音声メッセージを記録し、遠隔操作部に各音声メッセージに対応する複数の操作ボタンを設け、作業現場内の作業員が、地上の作業員に選択的にメッセージを伝達することができる構成であってもよい。また、信号送信機と信号受信機に、双方向に通信可能な通信装置をそれぞれ設け、作業現場内外において、例えば文字データの通信を行うことを可能とする構成であってもよい。
【００４５】
以上、図面を参照して本考案の実施の形態を説明したが、本考案は、図示した実施の形態のものに限定されない。図示した実施の形態に対して、本考案と同一の範囲内において、あるいは均等の範囲内において、種々の修正や変形を加えることが可能である。
【産業上の利用可能性】
【００４６】
本考案は、外気から閉鎖された作業現場内の換気を行うことができるとともに、作業現場の内外間において換気装置の操作指示等の迅速な伝達を可能とする換気装置を提供するものであって、工事現場等に用いられる送風機に有利に適用される。
【符号の説明】
【００４７】
１１  換気装置、１２  送風機、１３  ベース部、１４  底壁部、１５，１６  車輪、１７  前舌部、１８，１９，２０，２６，２７，２８  棒部材、２１，２２  柱部、２３，２４  上端、２５  取手部、２９  土台部、３０  モーター部、３１  ファン部、３２  吸気口、３３  送気口、３４  防雨カバー、３５，３８，４５  アダプター、３６  送気ダクト、３７  集塵ユニット、３９  ダストボックス、３９ａ  ダスト収納部、３９ｂ  蓋部、３９ｒ  ロック部材、４０  突出部、４１，４２  金網、４３  集塵フィルター、４６  制御ボックス、４７  電気コンセント、４８  プラグ、４９  電気ケーブル、５０  遠隔操作部、５１  回転灯、５２  スピーカー、５３  電源ボタン、５４，５５  通話口、５６  パイロットランプ、５７  報知ボタン、５８  通話ボタン、５９  報知装置停止ボタン、６０  作業現場、６１  マンホール。
【図１】
0003163579.tif 000003
【図２】
0003163579.tif 000004
【図３】
0003163579.tif 000005
【図４】
0003163579.tif 000006
【図５】
0003163579.tif 000007